(57)【要約】  【課題】  付加情報の入力操作に関して操作性を向上させた情報記録装置を提供する。  【解決手段】  トラック番号が付与されると、それが指定された要因により行われたものであるか、それとも、指定されていない要因により行われたものであるかを判定し、この判定結果に基づいて、予め入力された付加情報を修正するトラック番号付与要因判定部１４を設ける。【選択図】  図１
2005190664.tif 000002
【特許請求の範囲】
【請求項１】
ソースからの信号を区切って所定の記録媒体に記録するとともに区切った信号に対応させてトラック番号を更新し、更新したトラック番号を区切った信号に対応させて前記記録媒体に記録する情報記録装置であって、
使用者に操作される操作部と、
ソースからの信号及び前記トラック番号を前記記録媒体に書き込む記録部と、
前記記録媒体に記録される前記トラック番号を記憶するメモリと、
ソースからの信号の区切りを検出して、検出した区切りにより区切られている信号ごとにトラック番号を更新する制御部とを備えた情報記録装置において、
使用者が信号を区切る要因を指定したときに、
前記制御部により区切られた信号が、使用者によって指定された要因により区切られたものか否かを判定するトラック番号付与要因判定部を備えたことを特徴とする情報記録装置。
【請求項２】
前記トラック番号付与要因判定部が前記制御部により区切られた信号が使用者によって指定された要因により区切られたものと判定した場合にのみ、
前記制御部はトラック番号を更新して更新したトラック番号を区切った信号に対応させて前記メモリに記憶し、
前記記録部が前記メモリに記憶された更新後のトラック番号とソースからの信号との対応関係を前記記録媒体に記録することを特徴とする請求項１に記載の情報記録装置。
【請求項３】
前記記録部は前記記録媒体にさらに付加情報を書き込み、
前記メモリにはさらに付加情報が記憶され、
使用者が前記操作部からトラック番号を指定して付加情報を入力して、該付加情報が前記メモリに記憶されたとき、
前記トラック番号付与要因判定部が前記制御部により区切られた信号が使用者によって指定された要因により区切られたものと判定した場合にのみ、
前記制御部は、トラック番号を更新して更新したトラック番号を区切った信号に対応させて前記メモリに記憶し、前記付加情報を更新後のトラック番号に対応させて前記メモリに記憶し、
前記記録部は、前記メモリに記憶された更新後のトラック番号とソースからの信号との対応関係と前記付加情報と更新後のトラック番号との対応関係とを前記記録媒体に記録することを特徴とする請求項１に記載の情報記録装置。
【発明の詳細な説明】
【技術分野】
【０００１】
本発明は、トラック情報に加えて、トラック情報と対応する付加情報を、ミニディスクなどの所定の記録媒体に記録する機能を備えた情報記録装置に関するものである。
【背景技術】
【０００２】
ミニディスクの記録可能な領域には、ユーザＴＯＣ領域とプログラム領域とがある。プログラム領域は、本来の記録対象であるトラック情報（音声）を記録するための領域である。ユーザＴＯＣ領域は、プログラム領域に記録された一連のトラック情報毎に、トラック番号や記録範囲などの管理情報、及び、付加情報を記録するための領域である。
【０００３】
管理情報は、トラック情報の記録に伴ってミニディスクレコーダが自動的に記録する。一方、付加情報は、ユーザがトラック番号を指定してタイトルなどを手動で入力し、指定されたトラック番号のトラック情報と対応づけてミニディスクに記録される。
【０００４】
ユーザＴＯＣ領域について説明する。ミニディスクのユーザＴＯＣ領域では、セクタという単位で複数種類の情報が独立して格納される。トラック情報の記録状況はセクタ０の領域にて管理される。具体的には、図７に示すように、トラック情報を記録したアドレス範囲を格納するためのスロット部、及び、スロットに格納されたアドレス範囲とトラック情報とを対応づける情報を格納するポインタ部が用意されている。
【０００５】
例えば、ユーザＴＯＣ領域において、セクタ０のポインタ部及びスロット部に図７に示すようにデータが格納されている場合は、トラック番号１のトラック情報は、プログラム領域の００３２〜００８０のアドレス範囲に記録されている。
【０００６】
付加情報は、上記管理情報とは独立にユーザＴＯＣ領域のセクタ１またはセクタ４の領域に記録される。これらの領域には、図８に示すように、タイトルなどの付加データを格納するスロット部、及び、スロット部に格納された付加データとトラック情報とを対応づけるデータを格納するポインタ部が用意されている。
【０００７】
例えば、ユーザＴＯＣ領域において、セクタ１またはセクタ４のポインタ部及びスロット部に図８に示すようにデータが格納されている場合は、トラック番号２のトラック情報の付加データは、スロット番号４〜９に格納されていることになる。
【発明の開示】
【発明が解決しようとする課題】
【０００８】
一般的なミニディスクのレコーダーでは、ソースからの信号レベルに基づく第１の要因、ソースからの信号に付加された情報に基づく第２の要因及びユーザの所定のキー操作に基づく第３の要因より、トラック情報の区切りを検出して、区切られたトラック情報毎にトラック番号を更新した上で付与する。また、記録動作のエラーによりトラック番号が付与される場合もある。第２の要因には、デジタルオーディオインターフェースにおけるソース側トラック番号などがある。記録動作のエラー発生に起因したトラック番号が付与される場合には、ＭＤ規格に定められた最低パート長規則に抵触した場合などがある。
【０００９】
トラック情報を記録しながら、あるいは、それ以前に付加情報をミニディスクレコーダに対して入力すると、トラック情報と付加情報との対応関係が意図した通りにならないことがある。これは、誤操作又はエラー発生によりトラック番号が不適切な箇所で付与される可能性があるためである。
【００１０】
例えば、トラック番号１、２、３のトラック情報にそれぞれＡ、Ｂ、Ｃというタイトルを付加するとの意図で予め入力を行っていた場合について考える。図９に示すように、トラック番号１として想定したトラック情報Ｔ１の記録中の点ｐでトラック番号が付与されると、トラック情報Ｔ１にはトラック番号１に付加すべきタイトルＡに加えて、トラック番号２として想定したトラック情報Ｔ２に付加すべきタイトルＢが付加される。また、トラック情報Ｔ２にはトラック番号３として想定したトラック情報Ｔ３に付加すべきタイトルＣが付加されてる。また、トラック情報Ｔ３にはタイトルが付加されないという不具合が生じる。
【００１１】
このため、従来のミニディスクレコーダにおいては、トラック情報を記録した後に、付加情報を入力する操作を行うのが一般的となっており、操作性を低下させる一因となっていた。
【００１２】
そこで、本発明は、付加情報の入力操作に関して操作性を向上させた情報記録装置を提供することを目的とする。
【課題を解決するための手段】
【００１３】
上記目的を達成するために、本願発明の情報記録装置は、ソースからの信号を区切って所定の記録媒体に記録するとともに区切った信号に対応させてトラック番号を更新し、更新したトラック番号を区切った信号に対応させて前記記録媒体に記録する情報記録装置であって、使用者に操作される操作部と、ソースからの信号及び前記トラック番号を前記記録媒体に書き込む記録部と、前記記録媒体に記録される前記トラック番号を記憶するメモリと、ソースからの信号の区切りを検出して、検出した区切りにより区切られている信号ごとにトラック番号を更新する制御部とを備えた情報記録装置において、使用者が信号を区切る要因を指定したときに、前記制御部により区切られた信号が、使用者によって指定された要因により区切られたものか否かを判定するトラック番号付与要因判定部を備えた構成を特徴とする。
【００１４】
上記構成の情報記録装置において、前記トラック番号付与要因判定部が前記制御部により区切られた信号が使用者によって指定された要因により区切られたものと判定した場合にのみ、前記制御部はトラック番号を更新して更新したトラック番号を区切った信号に対応させて前記メモリに記憶し、前記記録部が前記メモリに記憶された更新後のトラック番号とソースからの信号との対応関係を前記記録媒体に記録する構成とするとよい。
【００１５】
また、上記構成の情報記録装置において、前記記録部は前記記録媒体にさらに付加情報を書き込み、前記メモリにはさらに付加情報が記憶され、使用者が前記操作部からトラック番号を指定して付加情報を入力して、該付加情報が前記メモリに記憶されたとき、前記トラック番号付与要因判定部が前記制御部により区切られた信号が使用者によって指定された要因により区切られたものと判定した場合にのみ、前記制御部は、トラック番号を更新して更新したトラック番号を区切った信号に対応させて前記メモリに記憶し、前記付加情報を更新後のトラック番号に対応させて前記メモリに記憶し、前記記録部は、前記メモリに記憶された更新後のトラック番号とソースからの信号との対応関係と前記付加情報と更新後のトラック番号との対応関係とを前記記録媒体に記録する構成とするとよい。
【発明の効果】
【００１６】
本願発明の情報記録装置によれば、トラック情報を記録する前に付加情報が入力されたとしても、その付加情報が指定された要因だけによりトラック番号が付与されることを想定して生成されていれば、トラック番号が不適切な箇所で付与されることに起因した、トラック情報と付加情報との対応関係が意図した通りにならないという不具合を解消することができる。したがって、ユーザはトラック情報を記録するにあたって、その付加情報を予め入力することができるようになり、付加情報の入力操作に関して操作性が向上する。
【発明を実施するための最良の形態】
【００１７】
以下に、本発明の実施形態を図面を参照しながら説明する。本発明の一実施形態であるミニディスクレコーダのブロック図を図１に示す。１はリード／ライト部、２はトラック再生処理部、３はトラック記録処理部、４はテキスト再生処理部、５はテキスト記録処理部、６はメモリコントローラ、７は衝撃吸収用メモリ、８は圧縮エンコーダ／デコーダ、９はＤ／Ａコンバータ、１０はＡ／Ｄコンバータ、１１は表示部、１２は操作部、１３は制御部、１４はトラック番号付与要因判定部、１５は付加情報一時記憶用メモリである。尚、１００は当該ミニディスクレコーダに対して着脱自在なミニディスクである。
【００１８】
トラック情報の記録について説明する。端子ＩＮを介して外部から入力された信号が、Ａ／Ｄ変換器１０によって所定のサンプリング周波数（例えば４４.１[kHz]）でデジタル信号に変換される。次に、圧縮エンコーダ／デコーダ８によってＡＴＲＡＣ（登録商標）方式の圧縮のエンコード処理が施される。次に、メモリコントローラ６により衝撃吸収用メモリ７に一旦書き込まれた後、トラック記録処理部３によって記録に適した形に変調したり、誤り訂正用の符号を追加するなどの記録処理が行われる。そして、リード／ライト部１によってミニディスク１００のプログラム領域に記録される。
【００１９】
トラック情報の再生について説明する。ミニディスク１００のプログラム領域からリード／ライト部１によって読み出された信号は、トラック再生処理部２によってトラック記録処理部２における変調に対する復調処理などが施される。次に、メモリコントローラ６によって衝撃吸収用メモリ７に一旦書き込まれた後、圧縮エンコーダ／デコーダ８によって圧縮に対するデコード処理などが施される。そして、Ｄ／Ａ変換器９によってアナログ信号に変換されて端子ＯＵＴを介して外部に出力される。
【００２０】
制御部１３は、ミニディスクレコーダ全体としての動作が操作部１２から入力される指示に応じたものとなるように、各部の動作を制御する。例えば、制御部１３は、操作部１２から付加情報記録の指示が入力されると、引き続き操作部１２から入力される付加情報を表示部１１に表示する。その後、操作部１２から付加情報を確定させる指示が入力されると、先に入力された付加情報を付加情報一時記憶用メモリ１５に格納する。その他、制御部１３は、装置の動作状態や再生中のトラック情報のタイトルなどが表示部１１に表示されるように制御する。
【００２１】
また、制御部１３は、ミニディスク１００が当該ミニディスクレコーダに装着されると、ミニディスク１００のユーザＴＯＣ領域に記録されている情報を読み出して、自身のメモリに記録しておく。そして、トラック情報の記録時には、自身のメモリに記録しているユーザＴＯＣ領域の管理情報を記録状況に応じて更新し、記録動作が終了した後に自身のメモリに保持している管理情報をミニディスク１００のユーザＴＯＣ領域に記録する。
【００２２】
トラック情報と付加情報との記録について説明する。トラック情報を記録媒体に記録中に、トラック番号の更新状況を図５の（イ）に記載されているようなトラック番号管理テーブルに記録する。トラック情報を記録媒体へ記録した後、トラック番号管理テーブルに基づいて図５の（ロ）に記載されているようなトラック番号変換テーブルを作成する。そして、トラック番号変換テーブルに基づいてトラック番号と付加情報との対応関係を修正する。
【００２３】
トラック情報を記録する前に、操作部１２からトラック番号の付与要因が指定される。例えば、ソース側からの信号に付加された情報に基づいてトラック番号を付与するように指定される。指定されたトラック番号の付与要因は制御部１３からトラック番号付与要因判定部１４に対して通知される。そして、トラック番号付与要因判定部１４は、リード／ライト部１から送られてくる信号に基づいて、指定された要因によりトラック番号が付与されたか否かを判定する。
【００２４】
付加情報は、テキスト記録処理部５によって記録に適した形となるように変調された後、リード／ライト部１によってミニディスク１００のユーザＴＯＣ領域に記録される。また、付加情報を再生する際には、リード／ライト部１によってミニディスク１００のユーザＴＯＣ領域から読み出された付加情報は、テキスト再生処理部４によって復調された後、制御部１３に与えられる。
【００２５】
ミニディスク１００に対してトラック情報を新たに記録する際に、トラック番号付与要因判定部１４が行う処理について、図２に示すフローチャートを用いて説明する。トラック番号付与要因判定部１４は、追加トラック番号と管理トラック番号とを対応づけて記憶するためのトラック番号管理テーブルの初期設定を行う。具体的には、トラック番号管理テーブルをクリアした後、追加トラック番号としてミニディスク１００に新たに記録されるトラック情報の先頭のトラック番号（以下、「追加先頭トラック番号」と称する）と、管理トラック番号として追加先頭トラック番号とを対応づけてトラック番号管理テーブルに格納する（＃１）。
【００２６】
このステップ（＃１）により、例えば、トラック情報が全く記録されていないミニディスク１００に対して新たにトラック情報を記録する際には、トラック番号管理テーブルには、図３に示すように、追加トラック番号として１と、管理トラック番号として１とが対応づけられて格納する。
【００２７】
次に、変数ｘを追加トラック番号とする。＃２では追加トラック番号として変数ｘに追加先頭トラック番号よりも１だけ大きな値をを代入して＃３に進む。
【００２８】
＃３は、制御部１３から付加情報修正指示が送られてきたか否かを判定する。付加情報修正指示が送られてきていない場合は（＃３のＮ）＃４へ進みトラック番号が付与されたか否かを判定する。一方、付加情報修正指示が送られてきた場合は（＃３のＹ）＃９へ進む。＃９ではトラック番号変換テーブルを作成する。なお、付加情報修正指示は、記録動作が終了した後に制御部１３からトラック番号付与要因判定部１４に対して送られるものであり、付加情報修正指示が送られてきたことは記録動作が終了したことを示す。
【００２９】
＃４は、制御部１３の通知に基づきトラック番号が付与されたか否かを判定する。トラック番号が付与されていない場合には＃３に戻る。トラック番号が付与された場合には＃５へ進む。
【００３０】
＃５では指定された要因によりトラック情報が区切られてトラック番号が付与されたのか否かを判定する。
【００３１】
指定された要因によりトラック番号が付与されたと判定した場合には（＃５のＹ）＃６へ進む。＃６では追加トラック番号として変数ｘの値と、管理トラック番号として変数ｘよりも１だけ小さな値の追加トラック番号に対応する管理トラック番号よりも１だけ大きな値とを対応づけてトラック番号管理テーブルに格納する。
【００３２】
一方、指定されていない要因によりトラック番号が付与されたと判定した場合には（＃５のＮ）＃７へ進む。＃７では追加トラック番号として変数ｘの値と、管理トラック番号として変数ｘよりも１だけ小さな値の追加トラック番号に対応する管理トラック番号の値とを対応づけてトラック番号管理テーブルに格納する。
【００３３】
＃６又は＃７からはそれぞれ＃８へ進む。＃８では追加トラック番号として変数ｘの値を１だけ大きくする。＃８からは、上述した＃３へ移行する。
【００３４】
以上の処理により、指定された要因によりトラック番号が付与された場合には、トラック番号管理テーブルに、付与されたトラック番号が追加トラック番号として書き込まれるとともに、これと対応づけて１つ前の追加トラック番号の管理トラック番号より１だけ大きな値が管理トラック番号として書き込まれ、一方、指定されていない要因によりトラック番号が付与された場合には、トラック番号管理テーブルに、付与されたトラック番号が追加トラック番号として書き込まれるとともに、これと対応づけて１つ前の追加トラック番号の管理トラック番号の値が管理トラック番号として書き込まれる。
【００３５】
＃９でのトラック番号変換テーブルの作成について図４を用いて説明する。＃９０１では、変換前トラック番号と変換後トラック番号とを対応づけて格納するトラック番号変換テーブルの内容をクリアして＃９０２へ進む。
【００３６】
＃９０２では、追加先頭トラック番号を変数ｘ及びｙに代入して＃９０３へ進む。
【００３７】
＃９０３では、変換前トラック番号として変数ｘの値と、変換後トラック番号として変数ｙの値とを対応づけてトラック変換テーブルに格納して＃９０４へ進む。
【００３８】
＃９０４では、変数ｙの値を１だけ大きくして＃９０５へ進む。
【００３９】
＃９０５では、トラック番号管理テーブルに変数ｙの値が追加トラック番号として格納されているか否かを判定する。
【００４０】
変数ｙの値が追加トラック番号としてトラック番号管理テーブルに格納されていれば（＃９０５のＹ）、＃９０６進む。一方、変数ｙの値が追加トラック番号としてトラック番号管理テーブルに格納されていなければ（＃９０５のＮ）、処理を終了し、後述する＃１０へ進む。
【００４１】
＃９０６では、トラック番号変換テーブルにおいて、変数ｙの値の追加トラック番号に対応する管理トラック番号ｆ（ｙ）が変数ｙ−１ｍｐ追加トラック番号に対応する管理トラック番号ｆ（ｙ−１）と等しいか否かを判定する。これら２つの管理トラック番号が等しければ（＃９０６のＹ）、上述した＃９０４進む。一方、これら２つの管理トラック番号が等しくなければ（＃９０６のＮ）＃９０７へ進む。＃９０７では変数ｘの値を１だけ大きくして、＃９０３へ戻る。
【００４２】
以上のトラック番号変換テーブル作成処理により、例えばトラック番号管理テーブルに、図５の（イ）に示すように、追加トラック番号１、２、３、４、５と管理トラック番号１、２、２、３、３とがそれぞれ対応づけて格納されている場合には、図５の（ロ）に示すように、変換前トラック番号１、２、３に対してそれぞれ変換後トラック番号１、２、４を格納したトラック番号変換テーブルが作成されることになる。
【００４３】
そして、＃９で作成したトラック番号変換テーブルに基づいて、付加情報一時記憶用メモリ１５に保持されている付加情報を修正する（＃１０）。具体的には、入力された付加情報において各タイトルを付加するように指示するトラック番号が変換前トラック番号として対応づけられている変換後トラック番号を各タイトルを付加させるべきトラック番号として設定する。
【００４４】
これにより、例えば、図６の（イ）にイメージ図を示すように、入力された付加情報がトラック番号１、２、３に対してそれぞれＡ、Ｂ、Ｃというタイトルを付けるという内容であった場合に、トラック番号変換テーブルが図５の（ロ）に示した内容になったとすると、図６の（ロ）に示すように、トラック番号１、２、４に対してそれぞれＡ、Ｂ、Ｃというタイトルを付けるという内容に修正する。
【００４５】
このようにして、トラック番号付与要因判定部１４で修正された付加情報は、テキスト記録処理部５にて記録に適した形に変換された後、リード／ライト部１によってミニディスク１００のユーザＴＯＣ領域に記録される。
【００４６】
以上より、本実施形態のミニディスクレコーダによれば、トラック情報を記録する前に付加情報が入力されたとしても、その付加情報が指定された要因だけによりトラック番号が付与されることを想定して生成されていれば、トラック番号が不適切な箇所で付与されることに起因した、トラック情報と付加情報との対応関係が意図した通りにならないという不具合を解消することができる。したがって、ユーザは、トラック情報を記録するにあたって、その付加情報を予め入力することができるようになり、付加情報の入力操作に関して操作性が向上する。
【００４７】
尚、ユーザによって入力された付加情報をミニディスク１００に一時的に記録するようにしてもよい。これにより、上記実施形態における付加情報一時記憶用メモリ１５は不要となり、小型化及びコストダウンを実現することができる。
【００４８】
このようにした場合は、記録動作が終了すると、付加情報をミニディスク１００から読み出して、トラック番号要因判定部１４にて上述したように修正を行った後に、ミニディスク１００のユーザＴＯＣ領域に再度記録するようにすればよい。また、ユーザによって入力された付加情報をミニディスク１００のプログラム領域に一時的に記録する場合には、上記作業の終了後に、付加情報を一時的に記録した領域のデータを消去するようにしておけば、他の互換再生機器への影響をなくすことができる。
【図面の簡単な説明】
【００４９】
【図１】本発明の一実施形態であるミニディスクレコーダのブロック図である。
【図２】トラック番号付与要因判定部の動作を示すフローチャートである。
【図３】トラック番号管理テーブルの初期設定後の内容の一例を示す図である。
【図４】トラック番号変換テーブルの作成に係わる処理のフローチャートである。
【図５】（イ）記録動作終了時点でのトラック番号管理テーブルの内容の一例を示す図である。（ロ）記録動作終了時点でのトラック番号管理テーブルの内容が図５の（イ）に示すものであるときに生成されるトラック番号変換テーブルの内容を示す図である。
【図６】（イ）入力された付加情報の内容を示す図である。（ロ）図５の（ロ）に示すトラック番号変換テーブルの内容に基づいて修正された後の付加情報の内容を示す図である。
【図７】ユーザＴＯＣ領域のセクタ０の概略構成を示す図である。
【図８】ユーザＴＯＣ領域のセクタ１、４の概略構成を示す図である。
【図９】トラック番号が不適切な箇所で付与されたときに生じる不具合を説明するための図である。
【符号の説明】
【００５０】
１ リード／ライト部
２ トラック再生処理部
３ トラック記録処理部
４ テキスト再生処理部
５ テキスト記録処理部
６ メモリコントローラ
７ 衝撃吸収用メモリ
８ 圧縮エンコーダ／デコーダ
９ Ｄ／Ａコンバータ
１０ Ａ／Ｄコンバータ
１１ 表示部
１２ 操作部
１３ 制御部
１４ トラック番号付与要因判定部
１５ 付加情報一時記憶用メモリ
１００ ミニディスク
【図１】
2005190664.tif 000003
【図２】
2005190664.tif 000004
【図３】
2005190664.tif 000005
【図４】
2005190664.tif 000006
【図５】
2005190664.tif 000007
【図６】
2005190664.tif 000008
【図７】
2005190664.tif 000009
【図８】
2005190664.tif 000010
【図９】
2005190664.tif 000011